(57)【特許請求の範囲】
【請求項１】
硫化水素を吸着するための硫酸銀粉末を含む硫酸銀含有層と、
二酸化硫黄ガスを透過可能であり、前記硫酸銀含有層を支持するための支持部材とを備え、
前記支持部材は、二酸化硫黄ガスを透過可能な第１支持層と、前記第１支持層のガスの流入方向における上流側の面に配置されるとともに、二酸化硫黄ガスを透過可能であり、前記第１支持層よりも表面粗さが大きい不織布を表面に含む第２支持層とを含み、
前記硫酸銀含有層は、前記第２支持層上に配置されている、フィルタ。
【請求項２】
前記支持部材は、層状に形成され、
前記硫酸銀含有層と層状の前記支持部材とは、交互に積層されるとともに、それぞれ複数層設けられている、請求項１に記載のフィルタ。
【請求項３】
請求項１または２に記載のフィルタと、
前記フィルタを通過した二酸化硫黄ガスを検出するための二酸化硫黄検出センサとを備えた、ガス検知器。
【発明の詳細な説明】
【技術分野】
【０００１】
この発明は、フィルタおよびガス検知器に関し、特に、硫化水素を吸着可能なフィルタおよびこのフィルタを備えるガス検知器に関する。
【背景技術】
【０００２】
従来、硫化水素を吸着可能なフィルタが知られている（たとえば、特許文献１参照）。
【０００３】
上記特許文献１には、硫化水素を吸着するための硫酸銀粒子と、硫酸銀粒子よりも大きい粒径のアルミナ粒子と、容器とを備えたフィルタが開示されている。硫酸銀粒子およびアルミナ粒子は、それぞれ、分散された状態で容器内部に収容されている。
【先行技術文献】
【特許文献】
【０００４】
【特許文献１】特許第３９３８３１３号公報
【発明の概要】
【発明が解決しようとする課題】
【０００５】
しかしながら、上記特許文献１に記載のフィルタでは、容器内部において、硫酸銀粒子が偏った位置に収容されている場合には、硫酸銀粒子により硫化水素を十分に吸着することができない。このため、硫化水素がフィルタを通過してしまう可能性がある。
【０００６】
この発明は、上記のような課題を解決するためになされたものであり、この発明の１つの目的は、硫化水素がフィルタを通過してしまうのを確実に抑制することが可能なフィルタおよびこのフィルタを備えるガス検知器を提供することである。
【課題を解決するための手段】
【０００７】
この発明の第１の局面によるフィルタは、硫化水素を吸着するための硫酸銀粉末を含む硫酸銀含有層と、二酸化硫黄ガスを透過可能であり、硫酸銀含有層を支持するための支持部材とを備え、支持部材は、二酸化硫黄ガスを透過可能な第１支持層と、第１支持層のガスの流入方向における上流側の面に配置されるとともに、二酸化硫黄ガスを透過可能であり、第１支持層よりも表面粗さが大きい不織布を表面に含む第２支持層とを含み、硫酸銀含有層は、第２支持層上に配置されている。
【０００８】
この発明の第１の局面によるフィルタでは、上記のように、硫化水素を吸着するための硫酸銀粉末を含む硫酸銀含有層を設ける。これにより、硫酸銀粉末が偏った状態で配置される場合と異なり、フィルタに流入した硫化水素を層状の硫酸銀含有層に確実に流入させることができる。その結果、硫酸銀含有層により硫化水素が十分に吸着されるので、硫化水素がフィルタを通過してしまうのを確実に抑制することができる。したがって、このフィルタを二酸化硫黄検出センサに取り付けた場合には、フィルタを通過した硫化水素に起因し、二酸化硫黄検出センサによる誤検出（二酸化硫黄の検出精度に悪影響を与えること）を抑制することができる。
また、支持部材は、二酸化硫黄ガスを透過可能な第１支持層と、支持層のガスの流入方向における上流側の面に配置されるとともに、二酸化硫黄ガスを透過可能であり、第１支持層よりも表面粗さが大きい不織布を表面に含む第２支持層とを含み、硫酸銀含有層は、第２支持層上に配置されている。これにより、第２支持層の不織布により、硫酸銀含有層の位置ずれが起こるのを抑制することができる。
【００１０】
なお、本明細書では、「破過」とは、硫酸銀含有層が硫化水素を吸着可能な最大量（飽和量）吸着した結果、硫酸銀含有層が硫化水素を吸着できなくなり、硫酸銀含有層を硫化水素が通過することを示す概念である。
【００１１】
上記第１の局面によるフィルタにおいて、好ましくは、支持部材は、層状に形成され、硫酸銀含有層と層状の支持部材とは、交互に積層されるとともに、それぞれ複数層設けられている。このように構成すれば、最初に流入する硫酸銀含有層により硫化水素の濃度を低くした状態で、次の硫酸銀含有層にガスを流入させることができる。これにより、硫酸銀含有層が一層である場合よりも、硫酸銀含有層による硫化水素の吸着能力をより長く確保することができる。
【００１３】
この発明の第２の局面によるガス検知器は、上記第１の局面によるフィルタと、フィルタを通過した二酸化硫黄ガスを検出するための二酸化硫黄検出センサとを備える。
【００１４】
この発明の第２の局面によるガス検知器では、上記のように、硫化水素を吸着するための硫酸銀粉末を含む硫酸銀含有層を設ける。これにより、硫酸銀粉末が偏った状態で配置される場合と異なり、フィルタに流入した硫化水素を層状の硫酸銀含有層に確実に流入させることができる。その結果、硫酸銀含有層により硫化水素を十分に吸着することができるので、硫化水素がフィルタを通過してしまうのを確実に抑制することができる。したがって、このフィルタを二酸化硫黄検出センサに取り付けた場合に、フィルタを通過した硫化水素に起因し、二酸化硫黄検出センサによる誤検出（二酸化硫黄の検出精度に悪影響を与える）を抑制することができる。
【発明の効果】
【００１５】
本発明によれば、上記のように、硫化水素がフィルタを通過してしまうのを確実に抑制することができる。
【図面の簡単な説明】
【００１６】
【図１】本発明の一実施形態によるガス検知器の分解斜視図である。
【図２】本発明の一実施形態によるガス検知器におけるフィルタが取り付けられたＳＯ2センサを示した模式図である。
【図３】本発明の一実施形態によるガス検知器におけるフィルタを示した断面図である。
【図４】本発明の一実施形態によるガス検知器の下部の断面図である。
【図５】本発明の一実施形態によるフィルタの耐久試験の結果を示した図である。
【図６】本発明の一実施形態による硫酸銀含有層を含むフィルタを取り付けたＳＯ2センサの出力値の経過特性結果を示した図である。
【図７】本発明の一実施形態によるガス検知器の変形例の下部の断面図である。
【発明を実施するための形態】
【００１７】
以下、本発明を具体化した実施形態を図面に基づいて説明する。
【００１８】
（ガス検知器の全体構成）
図１〜図４を参照して、本発明の一実施形態によるガス検知器１の全体構成について説明する。
【００１９】
図１に示す本発明の一実施形態によるガス検知器１は、概略的には、直方体形状に形成されている。ガス検知器１は、携帯可能な大きさ、および、重さを有する携帯型のガス検知器である。ガス検知器１は、筺体１ａに収容された電池によって駆動される。
【００２０】
なお、本明細書では、ガス検知器１の正面視における右方向をＸ１方向といい、左方向をＸ２方向という。ガス検知器１の正面視における背面方向をＹ１方向といい、前面方向をＹ２方向という。また、ガス検知器１の正面視における上方向をＺ１方向といい、下方向をＺ２方向という。
【００２１】
ガス検知器１は、表示部２と、発光部３と、操作部４とを備えている。ガス検知器１は、４つのセンサ（可燃性ガスセンサ５１、ＳＯ2センサ５２、Ｈ2Ｓセンサ５３、およびＯ2センサ５４）を含むセンサ部５を備えている。これにより、ガス検知器１を用いて、異なる４種のガス（可燃性ガス（ｃｏｍｂｕｓｔｉｂｌｅ  ｇａｓ、ＣＯＭＢ）、二酸化硫黄（ＳＯ2）、硫化水素（Ｈ2Ｓ）、および、酸素（Ｏ2））を検出することができる。
【００２２】
可燃性ガスセンサ５１は、可燃性ガスを検知する接触燃焼式のセンサである。ＳＯ2センサ５２は、二酸化硫黄を検知する定電位電解式のセンサである。Ｈ2Ｓセンサ５３は、硫化水素を検知する定電位電解式のセンサである。Ｏ2センサ５４は、酸素を検知するガルバニ電池式のセンサである。なお、ＳＯ2センサ５２は、特許請求の範囲の「二酸化硫黄検出センサ」の一例である。
【００２３】
（筺体の構造）
筺体１ａは、たとえば、ＡＢＳ樹脂（アクリロニトリルブタジエンスチレン共重合合成樹脂）により形成されている。筺体１ａは、上部筺体１ｂと、下部筺体１ｃとを含んでいる。
【００２４】
上部筺体１ｂには、表示部２や、ガス検知器１を動作するための電池（図示せず）を収容するための電池ケース１ｄなどが配置されている。
【００２５】
下部筺体１ｃには、センサ収容部１１と、下部蓋１２とが設けられている。下部蓋１２は、下部蓋１２の内面と外面とを貫く４つの開口部１２１〜１２４を含んでいる。下部筺体１ｃには、センサ部５と、フィルタ６と、フッ素系フィルタ７と、フィルタ８と、ホルダ９とが収容されている。
【００２６】
センサ収容部１１は、４つのセンサ収容部１１１〜１１４を含んでいる。センサ収容部１１の上端部には、センサ基板１５０（図４参照）が設けられている。センサ基板１５０は、センサ５１〜５４の各々の端子５ａと電気的に接続されており、各センサが取得した情報を制御部（図示せず）に伝達するように構成されている。
【００２７】
センサ収容部１１１〜１１４は、下方に開口する円筒形状を有している。センサ収容部１１１には、可燃性ガスセンサ５１（以下、センサ５１という）が収容されている。センサ収容部１１２には、ＳＯ2センサ５２（以下、センサ５２という）が収容されている。センサ収容部１１３には、Ｈ2Ｓセンサ５３（以下、センサ５３という）が収容されている。センサ収容部１１４には、Ｏ2センサ５４（以下、センサ５４という）が収容されている。隣接するセンサ収容部は、隣接するセンサ収容部同士が隔離されるように構成されている。
【００２８】
〈フィルタ６の構造〉
図２に示すように、フィルタ６は、センサ５２（ＳＯ2センサ５２）のＳＯ2検出部（図示せず）をＺ２方向から覆うように配置されている。フィルタ６は、センサ５２のＺ２側の部分に配置されている。フィルタ６は、Ｚ２方向から見て、略円形状に形成されている。図３に示すように、フィルタ６は、硫酸銀含有層６１と、支持部材６２とを備えている。硫酸銀含有層６１と支持部材６２とは、交互に積層されている。硫酸銀含有層６１は、Ｚ方向の両側から支持部材６２によって挟み込まれている。硫酸銀含有層６１と支持部材６２とは、それぞれ複数層設けられている。たとえば、硫酸銀含有層６１は、２層設けられ、支持部材６２は、３層設けられている。フィルタ６に対するガスの透過時間を考慮し、硫酸銀含有層６１および支持部材６２のそれぞれの層の数を適宜変更することが可能である。センサ５２には、フィルタ６を通過したガスが流入する。
【００２９】
硫酸銀含有層６１は、硫酸銀粉末を含み、硫酸銀粉末によって硫化水素が吸着されるように構成されている。また、硫酸銀含有層６１は、二酸化硫黄を吸着せずに透過する。硫酸銀含有層６１は、Ｚ方向の厚みｔ１が約０．１ｍｍの層状に形成されている。硫酸銀含有層６１の１層あたりの重さは、適宜変更可能である。好ましくは、硫酸銀含有層６１は、１層あたり、０．０１２ｇ以上０．０２４ｇ以下の重さである。より好ましくは、硫酸銀含有層６１は、１層あたり、０．０１２ｇ以上０．０１５ｇ以下の重さである。硫酸銀粉末の粒径は、たとえば、１０μｍである。なお、硫酸銀粉末の粒径は、１０μｍ以外であってもよく、適宜変更可能である。硫酸銀粉末に含まれる複数の硫酸銀粒子は、略同じ粒径であってもよいし（狭い粒径分布を有していてもよいし）、異なる粒径であってもよい（広い粒径分布を有していてもよい）。硫酸銀粉末に含まれる複数の硫酸銀粒子は、様々な形状のものを採用することができる。また、硫酸銀粉末に含まれる複数の硫酸銀粒子の形状は、略均一であってもよいし、揃っていなくてもよい（形状にばらつきがあってもよい）。硫酸銀粉末の硫酸銀の純度は、たとえば、９９．５％である。硫酸銀粉末は、硫酸銀以外の不純物として、銅（０．００２％）、鉄（０．００２％）、その他の成分（０．４９６％）を含んでいる。
【００３０】
支持部材６２は、硫酸銀含有層６１を支持するために設けられている。支持部材６２は、第１支持層６２１と、第２支持層６２２と、接着部６２３とを含んでいる。第１支持層６２１と、第２支持層６２２とは、二酸化硫黄ガスを透過可能であり、接着部６２３は、二酸化硫黄ガスを透過しないように構成されている。支持部材６２は、全体として、概略的には層状に形成されている。支持部材６２は、第１支持層６２１と第２支持層６２２とを合わせた厚みｔ２が、０．２ｍｍになるように形成されている。
【００３１】
第１支持層６２１は、支持部材６２のガスの流入方向における下流側（Ｚ１側）の部分である。第１支持層６２１は、二酸化硫黄ガスを透過可能に構成されている。第１支持層６２１は、第２支持層６２２よりも表面粗さが大きくないＰＴＦＥ（ｐｏｌｙｔｅｔｒａｆｌｕｏｒｏｅｔｈｙｌｅｎｅ（ポリテトラフルオロエチレン））シートにより構成されている。ＰＴＦＥシートは、複数の細孔を有する多孔質シートである。ＰＴＦＥシートは、ガーレー通気性が１２ｓｅｃより小さいものを用いることができる。また、ＰＴＦＥシートは、初期透過圧力が１４ｐｓｉより大きいものを用いることができる。
【００３２】
第２支持層６２２は、支持部材６２のガスの流入方向における上流側（Ｚ２側）の表面に形成されている。第２支持層６２２は、二酸化硫黄ガスを透過可能に構成されている。第２支持層６２２の表面粗さは、第１支持層６２１の表面粗さよりも大きい。第２支持層６２２は、たとえば、不織布により構成されている。
【００３３】
接着部６２３は、Ｚ方向に隣り合う支持部材６２の第１支持層６２１と第２支持層６２２との間の位置に配置されている。接着部６２３は、Ｚ方向に隣り合う支持部材６２の第１支持層６２１および第２支持層６２２を接着（接続）している。接着部６２３は、支持部材６２の縁部に沿って設けられている。接着部６２３により囲まれた領域に、硫酸銀粉末を含む硫酸銀含有層６１が配置されている。接着部６２３は、たとえば、両面テープまたは接着剤である。接着部６２３は、硫酸銀含有層６１と同様、Ｚ方向に約０．１ｍｍの厚みｔ１を有している。
【００３４】
また、硫酸銀含有層６１のＺ２側の面６２３ａ全体が、第１支持層６２１および第２支持層６２２を介して、ガス検知器１の外部と通じている。ＳＯ2センサ５２のＺ２側に露出するように構成されている。硫酸銀含有層６１は、ガスの流入方向における上流側（Ｚ２側）のフィルタ６の保持に用いられる部分を除く略全面からガスが流入するように配置されている。
【００３５】
〈フッ素系フィルタの構造〉
図１に示すように、フッ素系フィルタ７は、４つのフッ素系フィルタ７１〜７４を含んでいる。フッ素系フィルタ７の素材は、ポリテトラフルオロエチレン（テフロン（登録商標））である。フッ素系フィルタ７は、気体（ガス）から水分や埃などの異物を分離（ろ過）するように構成されている。フッ素系フィルタ７１（７２〜７４）は、センサ５１（５２〜５４）と、センサ５１（５２〜５４）に対応する開口部１２１（１２２〜１２４）との間に配置されている。
【００３６】
〈フィルタ８の構造〉
フィルタ８は、センサ５１（可燃性ガスセンサ５１）をＺ２方向から覆うように配置されている。フィルタ８は、Ｈ2Ｓガスを除去（ろ過）するように構成されている。
【００３７】
〈ホルダの構造〉
図４に示すように、ホルダ９は、４つのフッ素系フィルタ７１〜７４を保持するために設けられている。ホルダ９は、弾性を有する材料（たとえば、ゴム）により形成されている。ホルダ９は、４つのフッ素系フィルタ保持部９１〜９４と、フィルタ保持部９５と、平坦部９６および９７と、凹部９８とを含んでいる。
【００３８】
ホルダ９は、センサ収容部１１（センサ収容部１１１〜１１４）に収容されたセンサ５１〜５４と、センサ収容部１１とに密着するように構成されている。
【００３９】
４つのフッ素系フィルタ保持部９１〜９４は、それぞれ、ガスの流入方向の下流方向（Ｚ１方向）に向けて窪む凹部により形成されている。フッ素系フィルタ保持部９１〜９４と、フッ素系フィルタ７１〜７１とは、それぞれ、Ｚ方向において隙間がない状態で配置されている。フッ素系フィルタ保持部９１〜９４により、フッ素系フィルタ７１〜７１が互いに離間した状態で配置される。フッ素系フィルタ保持部９１に形成された孔部９１ａは、Ｚ方向にホルダ９を貫通するように構成されている。同様に、フッ素系フィルタ保持部９２（９３、９４）に形成された孔部９２ａ（９３ａ、９４ａ）は、それぞれ、Ｚ方向にホルダ９を貫通するように構成されている。
【００４０】
なお、硫酸銀含有層６１を含むフィルタ６は、ホルダ９に対して、ガスの流入方向の下流側（Ｚ１側）に配置されている。また、ホルダ９は、フィルタ６と接触しないように構成されている。
【００４１】
フィルタ保持部９５は、平面視において、フッ素系フィルタ保持部９１に重なる位置に形成されている。フィルタ保持部９５は、ガスの流入方向の上流方向（Ｚ２方向）に向けて窪む凹部により形成されている。平面視において、フィルタ保持部９５は、略円形状に形成されている。フィルタ保持部９５とフィルタ８とは、Ｚ方向において隙間がない状態で配置されている。
【００４２】
平坦部９６は、平面視において、平坦部９６の一部分がフッ素系フィルタ保持部９２に重なる位置に形成されている。平坦部９６は、センサ５２のＺ２側の面に密着するように構成されている。
【００４３】
平坦部９７は、平面視において、平坦部９７の一部分がフッ素系フィルタ保持部９３に重なる位置に形成されている。平坦部９７は、センサ５３のＺ２側の面に密着するように構成されている。
【００４４】
凹部９８は、平面視において、フッ素系フィルタ保持部９４に重なる位置に形成されている。凹部９８は、Ｚ１方向に向けて窪む凹部により形成されている。凹部９８は、センサ５４のＺ２側の面を支持するように構成されている。
【００４５】
（他の部品の構造）
下部蓋１２は、筺体１ａの下部に含まれている。下部蓋１２は、センサ収容部１１に配置されたセンサ部５およびホルダ９などを覆うように構成されている。下部蓋１２の４つの開口部１２１〜１２４を介して、４つのセンサ５１〜５４にガスがそれぞれ流入する。
【００４６】
図１に示すように、表示部２は、ガス検知器１のＹ２側の面に設けられている。表示部２には、ガスの検知結果などが表示可能に構成されている。
【００４７】
発光部３は、複数のＬＥＤ（発光ダイオード素子）を有している。センサ部５（センサ５１〜５４）のうちいずれかのガス濃度が警報閾値を超えると、予め設定されている所定のパターンに従って発光部３が点灯する。
【００４８】
操作部４は、ユーザにより、ガス検知器１に対する種々の入力操作が行われるように構成されている。
【００４９】
センサ部５（センサ５１〜５４）のうちいずれかのガス濃度が警報閾値を超えた場合に、筺体１ａ内部の音発生部（図示せず）から発せられたブザー音は、筺体１ａの前面の放音孔１１ａを介して、筺体１ａの外部に放出される。
【００５０】
（実施例）
次に、図５および図６を参照して、本発明の効果を確認するために行った試験（実施例）について説明する。
【００５１】
以下のように、実施例１によるフィルタ６、実施例２によるフィルタ２０６、および、実施例３によるフィルタ３０６を作製し、フィルタ６、２０６、および、３０６について評価試験を行った。
【００５２】
（実施例１のフィルタ６）
１層あたり０．０１２ｇの硫酸銀含有層６１を２層設けるとともに、支持部材６２を３つ設け、硫酸銀含有層６１と支持部材６２とをＺ方向に交互に積層し、フィルタ６を作製した。
【００５３】
（実施例２のフィルタ２０６）
０．０１２ｇの１層の硫酸銀含有層を、Ｚ方向から支持部材６２により挟み込みフィルタ２０６を作製した。
【００５４】
（実施例３のフィルタ３０６）
０．０２４ｇの１層の硫酸銀含有層を、Ｚ方向から支持部材６２により挟み込みフィルタ３０６を作製した。
【００５５】
（硫酸銀含有層を硫化水素ガスに曝したときの耐久試験）
作製した実施例１のフィルタ６を取り付けたＳＯ2センサと、実施例２のフィルタ２０６を取り付けたＳＯ2センサと、実施例３のフィルタ３０６を取り付けたＳＯ2センサとを、それぞれ、３０ｐｐｍの硫化水素（Ｈ2Ｓ）ガスに所定時間、曝露させ、耐久試験を行った。その結果を図５に示す。図５には、曝露時間と、各々のＳＯ2センサによりＳＯ2ガスとして検知されたＳＯ2指示値との関係が示されている。なお、図５では、実施例３の結果を、便宜上、点線で示している。
【００５６】
硫化水素ガスに対する曝露によりフィルタが破過すると、ＳＯ2センサに硫化水素が常時流入するようになる。これにより、ＳＯ2センサに流入する硫化水素の量が増加することに伴いＳＯ2センサが誤作動を起こす。その結果、ＳＯ2センサに二酸化硫黄が流入していないにも関わらず、ＳＯ2センサに流入する二酸化硫黄の流入量が増加した結果が得られる。このように、フィルタが破過することにより、ＳＯ2センサの検出精度に悪影響を与えてしまう（ＳＯ2センサの誤検出が発生する）。
【００５７】
実施例１〜３の結果から、フィルタに含まれる硫酸銀の含有量が多いほど、硫化水素ガスに対する曝露時間に対し、フィルタが破過する速さが小さくなることが分かった。すなわち、フィルタに含まれる銀の含有量が多いほど、ＳＯ2センサの誤検出が発生しにくいことが分かった。
【００５８】
実施例１および実施例３の結果から、フィルタ全体として硫酸銀含有層が０．０２４ｇである場合には、硫化水素ガスに対する曝露時間に対し、フィルタが破過する速さが十分に小さいことが分かった。
【００５９】
また、実施例３のフィルタ３０６（１層の硫酸銀含有層０．０２４ｇ）よりも実施例１のフィルタ６（１層の硫酸銀含有層０．０１２ｇが２層）のほうが、硫化水素ガスに対する曝露時間に対し、フィルタが破過する速さが、若干小さいことが分かった。すなわち、フィルタ全体として同重量の硫酸銀粉末を含んでいたとしても、１層よりも２層にした方が、フィルタが破過しにくいことが分かった。
【００６０】
（硫酸銀含有層を含むフィルタを取り付けたＳＯ2センサの出力値の経過特性結果）
硫化水素ガスに曝露されていない（新品の）実施例１のフィルタ６を取り付けたＳＯ2センサによるＳＯ2ガスの出力値（基準値）を測定した。この状態から、フィルタ６を取り付けたＳＯ2センサを、３０ｐｐｍの硫化水素ガスに所定時間（４時間、１４時間、２６時間）曝露させて、それぞれの時間でのガスの出力値を測定した。そして、各時間での出力値を基準値で除算した。同様の測定を、実施例２のフィルタ２０６と、実施例３のフィルタ３０６とについて行った。これらの結果が、図６に示されている。
【００６１】
硫化水素ガスに対する曝露時間が増えるにつれ、ガスがフィルタを通過しにくくなる。これは、曝露時間が増えるにつれ、硫化水素と硫酸銀とが反応した結果、生成した硫化銀が、ガスの通路を閉塞したためと考えられる。
【００６２】
実施例１〜３の結果から、フィルタを取り付けたＳＯ2センサを、３０ｐｐｍの硫化水素ガスに１４時間以上曝露させても、硫化水素ガスに曝露されていない場合の出力値（基準値）に対して、６割以上の出力値を維持できることが分かった。
【００６３】
また、実施例１および実施例３の結果から、フィルタ全体として硫酸銀の含有量が同じでも、硫化銀含有層を単層より２層にして配置した場合の方が、硫化水素ガスに対する曝露時間が長くなってもガス出力値の低下が抑制されることが分かった。
【００６４】
これは、同重量の硫酸銀粉末を配置する際、１層に全て配置するよりも、２層に分けて配置した方が、硫酸銀粉末を偏りなく配置でき、その結果、硫化水素に曝露させた際に生成した硫化銀が、ガスの通路を閉塞しにくくなるためと考えられる。
【００６５】
図５および図６に示した試験結果（硫酸銀含有層を硫化水素ガスに曝したときの耐久試験結果、硫酸銀含有層を含むフィルタを取り付けたＳＯ2センサの出力値の経過特性結果）から、硫酸銀粉末の含有量を多くして、かつ、２層に分けて硫酸銀粉末を配置することにより、フィルタの破過、および、ガスの通路の閉塞をより効果的に抑制できることが分かった。
【００６６】
（本実施形態の効果）
本実施形態では、以下のような効果を得ることができる。
【００６７】
本実施形態では、上記のように、硫化水素を吸着するための硫酸銀粉末を含む硫酸銀含有層６１を設ける。これにより、硫酸銀粉末が偏った状態で配置される場合と異なり、フィルタ６に流入した硫化水素を層状の硫酸銀含有層６１に確実に流入させることができる。その結果、硫酸銀含有層６１により硫化水素が十分に吸着されるので、硫化水素がフィルタ６を通過してしまうのを確実に抑制することができる。したがって、このフィルタ６をＳＯ2センサ５２に取り付けた場合に、フィルタ６を通過した硫化水素に起因し、ＳＯ2センサ５２による誤検出を抑制することができる。
【００６８】
また、本実施形態では、ガスの流入方向における上流側の略全面からガスが流入するように配置されている。これにより、ガスが硫酸銀含有層の一部分に集中して流入する場合とは異なり、広い領域にガスを流入させることができる。その結果、硫酸銀含有層６１が破過するまでの期間（フィルタ寿命）を長くすることができる。
【００６９】
また、本実施形態では、硫酸銀含有層６１と層状の支持部材６２とを、交互に積層させるとともに、それぞれ複数層設ける。これにより、最初に流入する硫酸銀含有層６１により硫化水素の濃度を低くした状態で、次の硫酸銀含有層６１にガスを流入させることができる。その結果、硫酸銀含有層６１が一層である場合よりも、硫酸銀含有層６１による硫化水素の吸着能力をより長く確保することができる。
【００７０】
また、本実施形態では、第１支持層６２１よりも表面粗さが大きい不織布を表面に含む第２支持層６２２上に硫酸銀含有層６１を配置する。これにより、第２支持層６２２の不織布により、硫酸銀含有層６１の位置ずれが起こるのを抑制することができる。
【００７１】
（変形例）
なお、今回開示された実施形態および実施例は、すべての点で例示であって制限的なものではないと考えられるべきである。本発明の範囲は、上記した実施形態および実施例の説明ではなく特許請求の範囲によって示され、さらに特許請求の範囲と均等の意味および範囲内でのすべての変更（変形例）が含まれる。
【００７２】
たとえば、上記実施形態では、４種類のガスを検出可能な４種類のセンサを備えたガス検知器１に、本発明のフィルタを適用する例を示したが、本発明はこれに限られない。本発明では、少なくとも、二酸化硫黄検出センサを備えたガス検知器であれば、他のガスを検出可能なセンサを任意の数だけ設けてもよい。
【００７３】
また、上記実施形態では、本発明を携帯型のガス検知器１に適用する例を示したが、本発明はこれに限られない。本発明は、据置型のガス検知器に適用されてもよい。
【００７４】
また、上記実施形態では、ガスの流入方向における上流側（Ｚ２側）の略全面からガスが流入するように硫酸銀含有層６１が配置されている例を示したが、本発明はこれに限られない。本発明では、Ｚ２側の一部分からガスが流入するように硫酸銀含有層が配置されていてもよい。
【００７５】
また、上記実施形態では、層状の支持部材６２を設ける例を示したが、本発明はこれに限られない。本発明では、層状以外の、たとえば、断面視において枠状を有する支持部材を設けてもよい。
【００７６】
また、上記実施形態および実施例では、硫酸銀含有層６１を１層〜２層、積層する例を示したが、本発明はこれに限られない。本発明では、硫酸銀含有層を３層以上、設けてもよい。
【００７７】
また、上記実施形態では、支持部材６２を３層設ける例を示したが、本発明はこれに限られない。本発明では、支持部材を１層、２層または４層以上設けてもよい。
【００７８】
また、上記実施形態では、支持部材６２が、第１支持層６２１と、第１支持層６２１よりも表面粗さが粗い第２支持層６２２とを含む例を示したが、本発明はこれに限られない。本発明では、支持部材が、第２支持層を含んでいなくてもよい。
【００７９】
また、上記実施形態では、支持部材がＰＴＦＥシートにより構成されている例を示したが、本発明はこれに限られない。本発明では、支持部材が、ＰＴＦＥシートに代えて、繊維状のシリカ（二酸化ケイ素（ＳｉＯ2））のシートにより構成されていてもよい。
【００８０】
また、上記実施形態では、フィルタ６に加え、フッ素系フィルタ７（７１〜７４）を設ける例を示したが、本発明はこれに限られない。本発明では、フッ素系フィルタを設けなくてもよい。
【００８１】
また、上記実施形態では、フィルタ６をＳＯ2センサ５２のＺ２側の部分に接触するように配置したが、本発明はこれに限られない。本発明では、フィルタ６を別の部分に配置してもよい。たとえば、フィルタ６を空間３００を隔ててＳＯ2センサ５２と離間して配置してもよい。また、フィルタを、ホルダ９に対して、ガスの流入方向の上流側（Ｚ２側）に配置してもよい。
【符号の説明】
【００８２】
１  ガス検知器
６  フィルタ
５２  ＳＯ2センサ（二酸化硫黄検出センサ）
６１  硫酸銀含有層
６２  支持部材
６２１  第１支持層
６２２  第２支持層
【図１】
0006563256.tif 000002
【図２】
0006563256.tif 000003
【図３】
0006563256.tif 000004
【図４】
0006563256.tif 000005
【図５】
0006563256.tif 000006
【図６】
0006563256.tif 000007
【図７】
0006563256.tif 000008